(57)【要約】      （修正有）【課題】鍋底が湾曲した中華鍋を電磁調理器で使用可能とする家庭用中華鍋対応発熱リングを提供する。【解決手段】Ｕ字型リングを使用して、側壁面がお椀を伏せた山型の構造を成し、外周の側壁２は、電磁誘導感知範囲を避けた位置に配して加熱を避け、内周の側壁３は、電磁誘導感知範囲に配して電磁誘導の誘導電流を発生させて加熱する。外周の側壁下部、電磁調理器のトッププレートに接する面には、発熱リングを固定するために耐熱性のあるシリコンゴム或はフッ素ゴム製のリング５を側壁に食い込ませた形で取り付けるのが好ましい。また、外周側壁の周りに多数の開口部４を設けることで外気に触れさせ冷却効果を高め、また伝熱面積を狭めることで熱伝導を抑制することが好ましい。【選択図】図１
0003193216.tif 000002
【実用新案登録請求の範囲】
【請求項１】
Ｕ字型リングを使用して、側壁面がお椀を伏せた山型の構造を成し、外周の側壁は、電磁誘導感知範囲を避けた位置に配して加熱を避け、反対に内周の側壁は、電磁誘導感知範囲に配して電磁誘導の誘導電流を発生することで加熱する、電磁調理器向け家庭用中華鍋対応発熱リング。
【請求項２】
発熱リング外周の側壁下部、電磁調理器のトッププレートに接する面には、発熱リングを固定するために耐熱性のあるシリコンゴム或はフッ素ゴム製のリングを側壁に食い込ませた形で取り付けた、滑り止めと固定用の役目を担うゴムリングを全周囲にまいた、請求項１記載の電磁調理器向け家庭用中華鍋対応発熱リング。
【請求項３】
発熱リング外周の側壁には、内周側壁に発生する電磁誘導による発熱が、熱伝導により外周の側壁に伝わるのを極力抑えるために、多数の開口部を設けることで外気に触れさせ冷却効果を高め、また伝熱面積を狭めることで熱伝導を抑制する構造を持つ、電磁調理器向け家庭用中華鍋対応発熱リング。
【考案の詳細な説明】
【技術分野】
【０００１】本考案は、電磁調理器向け家庭用発熱リングに関するものである。
【背景技術】
【０００２】従来の発熱リングは、発熱するリングの周囲を保護していないため、発熱リングが高温になると火傷する危険性や、業務用に使用している場合は、リングを固定しているが、固定金物が無い電磁調理器の上に乗せるタイプでは、リングの固定が十分でないため、外部からの衝撃で容易に電磁調理器から外れ危険性が高く、家庭用などに使用するには不向きであり、家庭で安心して使用できる発熱リングの実用化は出来なかった。
【先行技術文献】
【特許文献】
【０００３】
【特許文献１】  登録実用新案第３１５６９１２
【特許文献２】  登録実用新案第３１６１７６１
【特許文献３】  特開２０１０−１４７０１５号
【考案の開示】
【考案が解決しようとする課題】
【０００４】そこで、発熱リングを逆Ｕ字構造にし内周に当たるリング側壁面を誘導電流が発生するようにし、外周の側壁面には複数の開口部を設けることで、熱伝導で伝わる熱を冷却し発熱リングの表面温度を下げ、またリング外周の側壁面は電磁コイルの外周より大きくとることで磁束がかからなくし発熱を防ぎ、さらに発熱リングの外周底部は、滑り止め機能を持たせた耐熱性の高いシリコンゴム或はフッ素ゴムを巻くことで固定化を図った、家庭でも安心して使用できる電磁調理器向け家庭用中華鍋対応発熱リングが、本考案により創案された。【０００５】本考案は、以下の（ａ）（ｂ）（ｃ）を目的とする。
（ａ）  Ｕ字型リングを使用し、側壁面がお椀を伏せた山型の構造を成し、外周の側壁には電磁誘導が影響されないように励磁コイルの外周より外側に配置し、反対に内周の側壁は、電磁誘導の影響下に入る範囲に配置した構造を有する、電磁調理器向け家庭用中華鍋対応発熱リングを提供すること、を目的とする。
（ｂ）  Ｕ字型リングの外周の側壁には多数の開口部を設け、冷却効果を高め熱伝導による昇熱を防止した、電磁調理器向け家庭用中華鍋対応発熱リングを提供すること、を目的とする。
（ｃ）  Ｕ字型リングの外周の側壁下部には、Ｕ字型リングを固定するための、耐熱シリコンゴム或はフッ素ゴムリングをはめ込んだ電磁調理器向け家庭用中華鍋対応発熱リングを提供すること、を目的とする。
【課題を解決する為の手段】
【０００６】上記課題を解決する為には、Ｕ字型リングをお椀を伏せた山型の構造とし、外周側壁面には電磁誘導による誘導電流の発生を防止し、内側の側壁のみ誘導電流を発現させ加熱し、外周側壁に多数の開口部を設けることで、外周の側壁に伝わる熱伝導による昇熱を抑え、外周側壁下部に耐熱シリコンゴム或はフッ素ゴムをはめ込むことで滑り止めと固定機能を持たせた、電磁調理器向け家庭用中華鍋対応発熱リングを可能とすること、を特徴とする。
【考案の効果】
【０００７】請求項１に関わる考案は、Ｕ字型リングを側壁面がお椀を伏せた山型として使用し、外周の側壁を励磁コイルの外周より大きくし電磁誘導が発現しないようにし、内周の側壁は反対に電磁誘導範囲に設置することで、誘導電流を発現させリング自体と、リングを介して鍋側面にも磁束が届き湾曲をした鍋でも渦電流が流れ、中華鍋でも電磁調理器を利用できる電磁調理器向け家庭用中華鍋対応発熱リングを可能とすること、を特徴とする。
【０００８】請求項２に関する考案は、発熱リング外周の側壁下部に、耐熱シリコンゴム或はフッ素ゴムリングをはめ込み、発熱リングの滑り止めと固定化を図った電磁調理器向け家庭用中華鍋対応発熱リング、を可能とすること、を特徴とする。
【０００９】請求項３に関する考案は、発熱リング外周側壁に伝わる内周側壁からの熱伝導による昇熱を極力抑えるために、発熱リングの外周側壁に多数の開口部を設け、外気による冷却と伝熱面積を最小にすることで、熱伝導を抑制する機構を付加した電磁調理器向け家庭用中華鍋対応発熱リング、を可能とすること、を特徴とする。
【考案を実施するための最良の形態】Ｕ字型リングを側壁面がお椀を伏せた山型として使用することで、外周側壁には電磁誘導を発現させないで、内周側壁のみ電磁誘導を発現させ加熱し、その熱伝導が外周側壁に伝わるのを極力防ぐために多数の開口部を設け、さらに発熱リングを固定するために、外周側壁下部に耐熱シリコンゴム或はフッ素ゴムリングをはめ込み滑り止めとした、電磁調理器向け家庭用中華鍋対応発熱リングを提供する事を可能とした。
【実施例１】
【００１０】この考案の実施例を図１、図２、に示す。図１の電磁調理器向け家庭用中華鍋対応発熱リングの実施形態図について述べる。【００１１】図１は、Ｕ字型リングをお椀を伏せた山型に形成した、電磁調理器向け家庭用中華鍋対応発熱リング１が、内部を外周側壁２と内周側壁３に分けられた形で構成されている。【００１２】外周側壁２の周りには、熱伝導を抑制するために多数の冷却用開口部４が開けられ、リングが昇熱されるのを抑制することを可能とする。【００１３】さらに、外周側壁２の下部には発熱リングを固定するための、耐熱シリコンゴム或はフッ素ゴムで作られた固定用リング５の溝１０が外周側壁２にはめ込まれる形で取り付けてあり、滑り止めと固定用の役目を担っている。【００１４】図２は、お椀を伏せた形の電磁調理器向け家庭用中華鍋対応発熱リング１の中におさめられた中華鍋６の状態を表している。【００１５】励磁コイル１２から放射された磁束７は、ＴＯＰプレート１１を透過して内周側壁３を介して中華鍋６の側壁に到達し、内周側壁発熱部８と中華鍋発熱部９を加熱する。【００１６】内周側壁発熱部８から外周側壁２に伝わる伝導熱は、冷却用開口部４で外気にさらされ冷やされると同時に、伝熱面積が狭い構造のためある程度温度上昇が抑制される。
【図面の簡単な説明】
【００１７】
【図１】電磁調理器向け家庭用中華鍋対応発熱リングの実施形態図
【図２】電磁調理器向け家庭用中華鍋対応発熱リングの断面図
【符号の説明】
【００１８】  １  電磁調理器向け家庭用中華鍋対応発熱リング
２  外周側壁
３  内周側壁
４  冷却用開口部
５  固定用リング
６  中華鍋
７  磁束
８  内周側壁発熱部
９  中華鍋発熱部
１０  溝
１１  ＴＯＰプレート
１２  励磁コイル
【図１】
0003193216.tif 000003
【図２】
0003193216.tif 000004
【手続補正書】
【提出日】平成26年7月4日(2014.7.4)
【手続補正１】
【補正対象書類名】実用新案登録請求の範囲
【補正対象項目名】全文
【補正方法】変更
【補正の内容】
【実用新案登録請求の範囲】
【請求項１】
Ｕ字型リングを使用して、側壁面がお椀を伏せた山型の構造を成し、外周の側壁は、電磁誘導感知範囲を避けた位置に配して加熱を避け、反対に内周の側壁は、電磁誘導感知範囲に配して電磁誘導の誘導電流を発生することで加熱する、電磁調理器向け家庭用中華鍋対応発熱リング。
【請求項２】
発熱リング外周の側壁下部、電磁調理器のトッププレートに接する面には、発熱リングを固定するために耐熱性のあるシリコンゴム或はフッ素ゴム製のリングを側壁に食い込ませた形で取り付けた、滑り止めと固定用の役目を担うゴムリングを全周囲にまいた、請求項１記載の電磁調理器向け家庭用中華鍋対応発熱リング。
【請求項３】
発熱リングは、お椀を伏せたＵ字型で形成され、底部は上部で繋がった外周側壁と内周側壁に分かれていて、内周側壁のみ電磁誘導範囲におかれていることから、発熱は内周部側壁のみとなり、外周側壁には熱伝導による熱が伝わることになるので、それを防ぐために外周側壁の周りに多数の開口部を設けることで外気に触れさせ冷却効果を高め、また伝熱面積を狭めることで熱伝導を抑制する構造であることを特徴とする、請求項１記載の電磁調理器向け家庭用中華鍋対応発熱リング。